(57)【要約】【課題】  非接触ＩＣカードを発行者が利用者に送付する際に、メモリに記憶した個人情報が読み取られたり改変を受けることがない、ＩＣカード用封入台紙を提供する。【解決手段】  本発明のＩＣカード用封入台紙１は、非接触ＩＣカード２を封入して送付するための台紙であって、２つ折りまたは３つ折りした台紙のいずれかの台紙面にＩＣカード添付面３を設け、当該ＩＣカード添付面の背面または前面の台紙面、あるいは双方の台紙面に、少なくともＩＣカードのアンテナ部分の電磁波を遮蔽するように、アルミ、銅、ニッケル、銀、酸化すずの金属または金属酸化物粒子、または導電性カーボン粒子のいずれかが入った導電性インキによる印刷４を施したことを特徴とする。  導電性インキによる印刷の代わりに、アルミ、銅、鉄のいずれかからなる金属箔を台紙である紙またはフィルム基材内に挿入するものであってもよい。【選択図】    図１
2006007505.tif 000002
【特許請求の範囲】
【請求項１】
非接触ＩＣカードを封入して送付するための台紙であって、２つ折りまたは３つ折りした台紙のいずれかの台紙面にＩＣカード添付面を設け、当該ＩＣカード添付面の背面または前面の台紙面、あるいは双方の台紙面に、少なくともＩＣカードのアンテナ部分の電磁波を遮蔽するように、アルミ、銅、ニッケル、銀、酸化すずの金属または金属酸化物粒子、または導電性カーボン粒子のいずれかが入った導電性インキによる印刷を施したことを特徴とするＩＣカード用封入台紙。
【請求項２】
非接触ＩＣカードを封入して送付するための台紙であって、２つ折りまたは３つ折りした台紙のいずれかの台紙面にＩＣカード添付面を設け、当該ＩＣカード添付面の背面または前面の台紙、あるいは双方の台紙に、少なくともＩＣカードのアンテナ部分の電磁波を遮蔽するように、アルミ、銅、鉄のいずれかからなる金属箔を、台紙である紙またはプラスチックフィルム基材内に挿入したことを特徴とするＩＣカード用封入台紙。
【発明の詳細な説明】
【技術分野】
【０００１】
本発明は、ＩＣカード用封入台紙に関する。特には、発行者が非接触ＩＣカードを利用者に送付する際に、当該非接触ＩＣカードのＩＣチップメモリに記録された情報が第三者に読み取りされることがないよう、あるいはデータの改変がされることのないように封入して郵送等することができる封入台紙に関する。
【背景技術】
【０００２】
従来から、磁気カードやＩＣカード等を、発行者が利用者に送付する場合には、簡易プリントまたは印刷された台紙にカードを固定し、当該固定した台紙を封筒に入れて郵送等することが行われている。
近年、従来の磁気カードに替えて、接触型ＩＣカードや非接触型ＩＣカード、あるいは接触・非接触共用型ＩＣカード（２ウェイＩＣカード）が、広範に使用されるようになってきている。ＩＣカードは集積回路を有し各種の処理が可能であること、磁気カードに比べて格段に大きい記憶容量を備えること、各種の認証プログラムを備えて偽造変造を困難にできること、複数のアプリケーションプログラムを搭載して広い利用用途を持ち得ること、などの理由からである。
【０００３】
このＩＣカードの内、非接触型ＩＣカードあるいは接触・非接触共用型ＩＣカードは、無線による決済やゲート認証ができ、搬送装置を用いない機器での使用が可能である利便性から、接触型ＩＣカードよりも用途面の展開が急速に拡大している。
しかし、非接触通信機能を有するＩＣカードは、非接触で読み取りできるので、当人が知らない間に悪意のある第３者に記録された情報を読み取りされたり、データを改変されてしまう危険性を伴う。また、非接触機器や電波媒体が広範に用いられている昨今においては、故意または人為的によるものでなくても、持ち歩きしている間に、ＩＣカードが電波を受けてデータ処理がされてしまうことが生じる。
【０００４】
ＩＣカードが個人に携帯される間のこのような問題は、電源をオフするとか電磁波遮断性の携帯具に保管するとかの対策を携帯者が個別に取ることができる。
しかし、ＩＣカードを発行者が利用者に送付する段階においては、未開封の状態でも読み書きできるのでデータの改変が生じると、発行者側か利用者側かいずれの段階でデータの改変が生じたのかが判断できないので、トラブルとなる問題がある。
また、データの改変が生じない場合であっても、個人情報等のデータ内容が読み取られて第三者に知られることはプライバシーの漏洩となり信用を損なうことになる。
特に近年、非接触ＩＣカードは、クレジットカード、キャッシュカード、会員カードとしても利用されており、発行者において、個人情報、ポイント情報がメモリに記憶された状態で台紙に固定し利用者に郵送等することが多くなってきているので、データの漏洩、改変等に対しては、厳重な対策が必要となる。
【０００５】
そこで、本発明では、封入台紙に電磁シールド構造を設けることとした。ところで、このような電磁シールド構造について先行技術を調査すると、以下のものが検出される。
特許文献１は、電磁シールド封筒に関するが、鉄箔の片面又は両面に不織布を接着してなる鉄箔材シートを利用した電磁シールド封筒を提案している。しかし、このものは、フロッピーディスク等の記録媒体を郵送等を目的とするもので、嵩高で重量の大きい封筒となる問題がある。特許文献２は、ケース付情報カードに関するが、磁気シールド材はパーマロイ、ケイ素鋼板等を使用するので、同様の問題が生じる。また、本願のカード用封入台紙とは異なるものである。特許文献３は、非接触ＩＣ装置用包装物に関するが、やはり、本願のカード用封入台紙とは異なるものである。
【０００６】
【特許文献１】実開昭６２−１１０１８４号公報                  （実願昭６０−２０３４２９号の願書に添付した明細書を撮影したマ                    イクロフィルム）。
【特許文献２】実開平４−６４１７６号公報                  （実願平２−１０６６９９号の願書に添付した明細書を撮影したマイ                    クロフィルム）。
【特許文献３】特開平７−１８７２５７号公報
【発明の開示】
【発明が解決しようとする課題】
【０００７】
しかし、上述の特許文献は、磁気シールド材等について記載しているが、いずれも本願のようにＩＣカード用封入台紙を目的とするものではなく、また、簡易な構成にはし難い材料を使用している。
そこで本願は、郵送等に適した簡易な構成のＩＣカード用封入台紙の達成を目的として研究し、本発明の完成に至ったものである。
【課題を解決するための手段】
【０００８】
本発明は第１に、非接触ＩＣカードを封入して送付するための台紙であって、２つ折りまたは３つ折りした台紙のいずれかの台紙面にＩＣカード添付面を設け、当該ＩＣカード添付面の背面または前面の台紙面、あるいは双方の台紙面に、少なくともＩＣカードのアンテナ部分の電磁波を遮蔽するように、アルミ、銅、ニッケル、銀、酸化すずの金属または金属酸化物粒子、または導電性カーボン粒子のいずれかが入った導電性インキによる印刷を施したことを特徴とするＩＣカード用封入台紙、の手段を行う。
【０００９】
本発明は第２に、非接触ＩＣカードを封入して送付するための台紙であって、２つ折りまたは３つ折りした台紙のいずれかの台紙面にＩＣカード添付面を設け、当該ＩＣカード添付面の背面または前面の台紙、あるいは双方の台紙に、少なくともＩＣカードのアンテナ部分の電磁波を遮蔽するように、アルミ、銅、鉄のいずれかからなる金属箔を、台紙である紙またはプラスチックフィルム基材内に挿入したことを特徴とするＩＣカード用封入台紙、の手段を行う。
【発明の効果】
【００１０】
請求項１記載のＩＣカード用封入台紙では、台紙面が、アルミ、銅、銀、ニッケル、酸化すずの金属または金属酸化物粒子、または導電性カーボン粒子入り導電性インキにより印刷されているので、外部からの電磁波を遮断できる。
請求項２記載のＩＣカード用封入台紙では、台紙に、アルミ、銅、鉄の金属箔が、紙またはフィルム基材内に挿入されているので、同様に電磁波を遮断できる。
いずれも、ＩＣカードの送付途中において、ＩＣチップのメモリ記憶内容が読み取られたり、データの改変を受けることがない。
【発明を実施するための最良の形態】
【００１１】
以下、図面を参照して本発明のＩＣカード用封入台紙の各実施形態について説明する。  図１は、本発明のＩＣカード用封入台紙の第１実施形態を説明する図、図２は、第１実施形態の他の例を説明する図、図３は、同第２実施形態を説明する図、図４は、第２実施形態の台紙の断面図、である。
【００１２】
ＩＣカード用封入台紙の第１実施形態は、図１のように、三つ折り型の封入台紙１に、非接触ＩＣカード２の添付面が設けられ、当該ＩＣカード添付面３の背面、または前面の台紙面、あるいは双方の台紙面には金属粒子等入りの導電性インキによる印刷４がされている。図１の場合は、ＩＣカード添付面３の背面にのみ導電性インキによる印刷４がされているが、非接触ＩＣカード２に密着する前面側であってもよく、双方の面であっても構わない。導電性インキによる印刷４は、非接触ＩＣカードが対接する全面でなくても構わないが、少なくともアンテナ部分を遮蔽できる面積である必要がある。
また、図１の場合、三つ折り型の封入台紙が図示されているが、二つ折り型であっても構わない。また、ＩＣカードの添付面は折り畳んだ用紙の間である必要はないが、ＩＣカードの保護のため、通常は台紙間に設けられることが多い。
【００１３】
導電性インキによる印刷４は、ＩＣカード添付面が用紙間にある場合は、非接触ＩＣカード２が対接する双方の面に印刷する場合が効果的であるが、非接触ＩＣカード２にほぼ密着する状態であれば、いずれか片面であっても非接触通信を遮断する効果を有する。
図２は、第１実施形態の他の例であって、ＩＣカード添付面３の前面の台紙面にのみ導電性インキによる印刷４がされている。もちろん、ＩＣカード添付面３の背面と前面の双方に印刷するものであってもよい。
【００１４】
導電性インキによる印刷は、シルクスクリーン印刷、グラビア印刷、フレキソ印刷等が用いられる。インキ中の導電性材料には、アルミ、銅、銀、ニッケル、等の金属粒子、または酸化すず等の金属酸化物粒子、導電性カーボン粒子が用いられることが多い。
一般的には、アルミ、銅の粉末が用いられる。透明導電性インキとする場合は、酸化すず、酸化インジウム等の粒子が、五酸化アンチモン等とともに用いられる。
【００１５】
印刷は、グラデーション（階調）の無い、いわゆる「ベタ」印刷とすることが良好な導電性を得る上で好ましい。金属粒子等の粒径は、０．１μｍから５０μｍ、さらに好ましくは０．１μｍ〜２０μｍの範囲である。グラビア印刷の場合は１０μｍ以下の粒径のものが好ましい。ベタ印刷の場合のグラビア版深は、３０〜４０μｍ程度であり、グラビアセルへの充填のため、あまり粗粒のものは好ましくないからである。シルクスクリーン印刷では、５０μｍ程度の粒径まで印刷可能である。
導電性インキ印刷部は、厚み１〜１０μｍ、さらに好ましくは２〜５μｍの塗膜となるようにすることが好ましい。これによって、表面抵抗値１００Ω／□以下の導電性が確保される。
【００１６】
バインダーとしては、例えば、アクリル系樹脂、ポリエステル系樹脂、ポリウレタン系樹脂、エポキシ系樹脂、ビニル系樹脂、セルロース系樹脂、ゴム系樹脂、カゼイン、ロジンエステル系樹脂等の一種または二種以上が用いられる。紙印刷の場合は、特に選択範囲を広くすることができる。フレキソ印刷の場合は、ゴム凸版を用いる関係からアルコール可溶性の樹脂が用いられる。導電性インキに着色剤を添加し、印刷部を着色することも可能である。
【００１７】
上記成分の他に、たとえば導電性インキの貯蔵安定性を維持する目的で沈降防止剤を添加することができる。このような沈降防止剤としては、脂肪酸ポリアミド、ポリエチレンワックス、微粉シリカ、等の添加剤を用いることができる。
グラビア印刷の場合の溶剤としては、トルエン、キシレン、酢酸エチル、酢酸ブチル、メチルエチルケトン、メチルイソブチルケトン（ＭＩＢＫ）、メチルセロソルブ、エチルセロソルブ、イソプロピルアルコール、等が混合して用いられることが多い。溶剤の選択・配合はバインダー樹脂との相溶性や印刷速度、乾燥条件等によって決められる。
【００１８】
用紙には、上質紙、コート紙、微塗工紙、片艶紙、カード用紙、樹脂塗工紙、樹脂含浸紙、等を使用できる。
ＩＣカード用封入台紙１には、利用者の宛て先住所、氏名、会員番号、管理用バーコード等を印字する印字欄５が設けられる。印字欄５は封入台紙１を折り畳みした際の外面となる面に設けて、利用者の宛て先住所、氏名を印字し、窓空き封筒に挿入した際に窓から見えるようにすることができる。図示してないが、管理用バーコードを設けてもよい。
ＩＣカード添付面３には、非接触ＩＣカードの角部を差し込みする切り込み６を設け、ＩＣカードの角部を差し込みして固定するようにされている。
【００１９】
図３は、第２実施形態のＩＣカード用封入台紙１を説明する図である。第２実施形態では、台紙面に導電性インキによる印刷を設けないが、封入台紙の形態自体は第１実施形態と同様になる。
図４に、封入台紙の断面が図示されている。第２実施形態の場合、封入台紙１の基材には紙またはプラスチックフィルム７が用いられ、それらの２枚の間に金属箔８が挿入されている。金属箔８に替えて、導電性インキを紙等に全面に印刷した金属性印刷物を用いてもよい。挿入とは、一般的にはラミネートして積層することであり、紙またはプラスチックフィルム７と金属箔８の間は、溶剤またはエマルジョン型、ホットメルト型等の接着剤９で接着され、あるいはポリエチレンによるイクストルージョンコート（ＥＣ）でラミネートされている。
【００２０】
金属箔８は、少なくとも非接触ＩＣカード２のアンテナコイル部分を遮蔽するように挿入すれば良いが、部分的に金属箔を挿入することは一層困難であるので、通常は全面に挿入することになる。その場合、折り畳んだ台紙間に非接触ＩＣカードを添付すれば、前後面が金属箔によって遮蔽されることになる。
金属箔８には、アルミ箔を用いるのが最も一般的である。その場合、６〜２０μｍ程度の厚みのものを用いる。ただし、銅箔や鉄箔であっても構わない。それらの場合の厚みも同程度のものとなる。
【００２１】
ＩＣカード用封入台紙１の使用方法は、ＩＣカードを発行処理した後、ＩＣカードのデータを読み出しし、あるいはＩＣカードに併設された磁気ストライプ、バーコードを読み取りし、封入台紙の管理用バーコードのデータと突き合わせして、非接触ＩＣカード２を封入台紙１に貼り付けする。ＩＣカードを固定した封入台紙１を窓空き封筒に挿入し封せんして送付する。
非接触ＩＣカード２がＩＣカード用封入台紙１に貼り付けられた時点で、導電性インキ（または金属箔）の影響により、ＩＣカードの動作を防止でき、再度ＩＣカードを取り出すまでの間は非接触ＩＣの正常の動作ができず、読み出しができないことによりＩＣカードへの不正なアクセスを防止できる。
【実施例１】
【００２２】
台紙用紙のＩＣカード添付面３となる部分（背面）に、下記組成の導電性インキを用いて導電性インキ印刷部４を、札入れサイズのカードサイズ（５４ｍｍ×８５．６ｍｍ）にグラビア印刷法で印刷した。印字欄５、管理用バーコード、その他の印刷も通常のインキを用いて適宜にグラビア印刷した。
（導電性インキ組成）
アクリル系樹脂（メタクリル酸メチル樹脂を主体とする固形分４５％の熱可塑性樹脂、残部溶剤）                                                    １００質量部
アルミ粉末（シルコートＡＧＣ−Ｂ、福田金属箔粉製）          １８０質量部
トルエン：ＭＩＢＫ（１：１）                                １００質量部
沈降防止剤（脂肪酸ポリアミド）                                  １質量部
着色顔料（酸化チタン）                                          ５質量部
【００２３】
上記、アルミ粉末の粒径分布は、０．２〜９μｍであり、１μｍ以上のものは９５％含まれていた。導電性インキ印刷部の塗膜厚みは、平均３μｍであり、表面抵抗値は、１０〜２０Ω／□であった。
印刷後、導電性インキ印刷部に切り込み６を設け、ＩＣカード添付面３とした。当該ＩＣカード添付面が内面となるように、図１のように三つ折りにした後、単位のＩＣカード用封入台紙に切断した。
【実施例２】
【００２４】
台紙用紙として、厚み１０μｍのアルミ箔を上質紙（４５ｋｇ／４６判）の間にＥＣラミネートした用紙を用い、印字欄５、管理用バーコード、その他の印刷を通常のインキを用いて適宜にグラビア印刷した。
印刷後、ＩＣカード添付面３が内面となるように切り込み６を設け、図１のように三つ折りにした後、単位のＩＣカード用封入台紙に切断した。
【００２５】
実施例１、実施例２により完成したＩＣカード用封入台紙１の用紙間のＩＣカード添付面に非接触ＩＣカード２を取り付け封筒に封入した後に、非接触ＩＣカード用リーダライタで読み取り書き込み試験を行ったが、いずれの場合も正常に読み書きすることはできなかった。
【図面の簡単な説明】
【００２６】
【図１】本発明のＩＣカード用封入台紙の第１実施形態を説明する図である。
【図２】第１実施形態の他の例を説明する図である。
【図３】同第２実施形態を説明する図である。
【図４】第２実施形態の台紙の断面図である。
【符号の説明】
【００２７】
１    ＩＣカード用封入台紙
２    非接触ＩＣカード
３    ＩＣカード添付面
４    導電性インキによる印刷
５    印字欄
６    切り込み
７    紙またはプラスチックフィルム
８    金属箔
９    接着剤
【図１】
2006007505.tif 000003
【図２】
2006007505.tif 000004
【図３】
2006007505.tif 000005
【図４】
2006007505.tif 000006